(57)【特許請求の範囲】
【請求項１】
農薬活性成分としてペンタ−４−エニル＝Ｎ−フルフリル−Ｎ−イミダゾール−１−イルカルボニル−ＤＬ−ホモアラニナート、界面活性剤、及び固体担体からなる粒状水和剤であって、該粒状水和剤の水和性が３分以内でかつ見掛け比重が０．４以上に調整されていることを特徴とする種子消毒用粒状水和剤。
【請求項２】
農薬活性成分としてペンタ−４−エニル＝Ｎ−フルフリル−Ｎ−イミダゾール−１−イルカルボニル−ＤＬ−ホモアラニナート、界面活性剤、固体担体、及び必要により他の補助成分からなる粒状水和剤であって、該粒状水和剤の水和性が３分以内でかつ見掛け比重が０．４以上に調整されていることを特徴とする種子消毒用粒状水和剤。
【請求項３】
水和性が２分以内に調整されていることを特徴とする、請求項１又は２のいずれかに記載の種子消毒用粒状水和剤。
【請求項４】
界面活性剤、固体担体、及び必要により添加した他の補助剤により水和性が３分以内、又は２分以内、見掛け比重が０．４以上に調整されていることを特徴とする請求項１〜３のいずれかに記載の種子消毒用粒状水和剤。
【請求項５】
請求項１〜４のいずれかに記載の種子消毒用粒状水和剤を水で希釈してなる種子消毒用薬液。
【請求項６】
請求項１〜４のいずれかに記載の種子消毒用粒状水和剤を水で３〜２０倍に希釈してなる高濃度希釈型の吹き付け用の種子消毒用薬液。
【請求項７】
農薬活性成分としてペンタ−４−エニル＝Ｎ−フルフリル−Ｎ−イミダゾール−１−イルカルボニル−ＤＬ−ホモアラニナート、界面活性剤、及び固体担体を混合してなる粒状水和剤であって、これらの組成を用いて該粒状水和剤の水和性が３分以内でかつ見掛け比重を０．４以上に調整することを特徴とする種子消毒用粒状水和剤の製法。
【請求項８】
農薬活性成分としてペンタ−４−エニル＝Ｎ−フルフリル−Ｎ−イミダゾール−１−イルカルボニル−ＤＬ−ホモアラニナート、界面活性剤、固体担体、及び必要により他の補助成分を混合してなる粒状水和剤であって、これらの組成を用いて該粒状水和剤の水和性が３分以内でかつ見掛け比重を０．４以上に調整することを特徴とする種子消毒用粒状水和剤の製法。
【請求項９】
水和性を２分以内に調整することを特徴とする請求項７又は８のいずれかに記載の種子消毒用粒状水和剤の製法。
【請求項１０】
界面活性剤、固体担体、必要により添加した他の補助剤により水和性を３分以内又は２分以内、見掛け比重を０．４以上に調整することを特徴とする請求項７〜９のいずれかに記載の種子消毒用粒状水和剤の製法。
【請求項１１】
請求項１〜４のいずれかに記載の種子消毒用粒状水和剤を水で使用濃度に希釈する種子消毒用薬液の製法。
【請求項１２】
請求項１〜４のいずれかに記載の種子消毒用粒状水和剤を水で３〜２０倍に希釈する高濃度希釈型の吹き付け用の種子消毒用薬液の製法。
【発明の詳細な説明】
【０００１】
【発明の属する技術分野】
本発明は、以下ペンタ−４−エニル＝Ｎ−フルフリル−Ｎ−イミダゾール−１−イルカルボニル−ＤＬ−ホモアラニナート（以下「ペフラゾエート」という。
）を含有する種子消毒用の粒状水和剤及びその製法、並びに種子消毒用薬液及びその製法に関する。特に、粒状水和剤を水で希釈して、高濃度希釈液を調製する時、粉立ちも少なく、水によく分散する種子消毒用粒状水和剤に関する。
【０００２】
【従来の技術】
種子消毒は、農薬活性成分、界面活性剤を有機溶剤にとかした乳剤や、農薬活性成分、界面活性剤、クレーなどの増量剤からなる水和剤を調製し、これを水で２０〜２００倍に希釈した希釈液としてこれに種籾を浸漬する方法が一般的に行われている。
【０００３】
一方、最近では大量の種子を省力的に消毒する方法として水和剤を３〜２０倍に希釈した希釈液、いわゆる高濃度希釈液を乾燥種籾重量の３％相当量を種子消毒用吹き付け装置を用いて種子に吹き付ける方法が普及してきている。この消毒方法に使用する水和剤に関する研究として、例えば、種子病害防除用活性成分としてペンタ−４−エニル＝Ｎ−フルフリル−Ｎ−イミダゾール−１−イルカルボニル−ＤＬ−ホモアラニナートを含む種子吹き付け用水和剤であり、低倍量の水で高濃度希釈液を作る時に生ずる沈殿物が弱い撹拌力で容易に水に再分散させることのできる水和剤に関する特開平７−２３３０１５号公報記載の技術が知られている。また、種子消毒用農薬活性成分を含む種子消毒用水和剤であって、この水和剤を水で希釈して特に高濃度希釈液とした時、いったん沈殿した固体沈殿物を簡単な撹拌又は浸透で水によく再分散できる種子消毒用水和剤に関する特開平７−２５２１０３号公報記載の技術が知られている。
【０００４】
また、この吹き付け装置を用いた種子消毒のための高濃度薬液を調製するには水和剤が微粉状であるため粉立ちが著しく、作業者の薬剤による被爆などの安全性が問題となっており、これらの問題のない種子消毒剤として、粒状水和剤の開発が進められている。
一方、本発明で用いるのと同様な「粒状水和剤」は、剤型としては既に、地上散布用としては公知である。
【０００５】
【発明が解決しようとする課題】
このような状況の中で本発明は、粉立ちがなく、少量の水中でも均一に分散し、高濃度希釈液を容易に調製しうる種子消毒用粒状水和剤及びその製法、並びに種子消毒用薬液及びその製法を提供することにある。
【０００６】
【課題を解決するための手段】
本発明らは、これらの課題を解決すべく鋭意検討した。その結果、従来種子消毒剤として使用してきた水和剤を粒状に製剤化して、かつ水和性と見掛け比重を特定の範囲とすることで前記した課題を解決することを見い出した。
より詳しくは、粒状水和剤の組成が農薬活性成分、界面活性剤、及び増量剤とからなり、この粒状水和剤の水和性を３分以内、より好ましくは２分以内とし、かつ製剤の見掛け比重を０．４以上となるように製剤化した種子消毒用粒状水和剤が前記の課題を解決するうえで極めて有用であるとの知見を得た。
そして、この種子消毒用の粒状水和剤は、水で３〜２０倍に希釈して種子消毒薬液とし、種子消毒用の吹き付け装置を用いて常法により種子に吹き付ければよい。このとき、種子消毒薬液の調製時の粒状水和剤の容量は水和剤の場合に比べて非常に小さく、容易に水になじみ、分散させられ扱い易いと同時に粉立ちもない。
【０００７】
【発明の実施の形態】
以下に、本発明に係る種子消毒用粒状水和剤及びその製法、並びに種子消毒用薬液及びその製法について、その実施の形態をさらに詳細に説明する。
本発明の種子消毒用粒状水和剤は、農薬活性成分として以下の化学式で表わされるペフラゾエートを含む。
【０００８】
【化１】
0004787398.tif 000002
【０００９】
さらに、本発明の種子消毒用粒状水和剤は、一般に種子消毒に用いられる他の農薬活性成分を併用しても何ら問題ない。そのような農薬活性成分は、稲馬鹿苗病、稲ごま葉枯病などの種子病害や種子消毒による害虫防除に用いられる農薬活性成分であればよく、これらの１種又は２種以上を併用しても何ら問題ない。これらの農薬活性成分としては、例えば次のようなものが挙げられる。
【００１０】
種子消毒用殺菌成分
ベノミル、チアベンダゾール、チオファネートメチル、チウラム、プロクロラズトリフミゾール、イプコナゾール、塩基性塩化銅、フルジオキソニル、水酸化第二銅など。
種子消毒用殺虫成分
フェニトロチオンなど。
これらの農薬活性成分の製剤中への添加量は特に制限されないが、一般的には製剤全量の１〜９０重量％、好ましくは５〜７０重量％である。
【００１１】
なお、これらの農薬活性成分名は「農薬ハンドブック」１９９８年版（１９９８年１２月１５日、社団法人  日本植物防疫協会発行）に記載の化合物である。
また、本発明に使用する界面活性剤としては、非イオン性界面活性剤、陰イオン性界面活性剤、陽イオン性界面活性剤、両性界面活性剤があり、具体的には次のものを使用することができる。
【００１２】
非イオン性界面活性剤
ポリオキシエチレンアルキルエーテル、ポリオキシエチレンアルキルアリールエーテル、ポリオキシエチレンスチリルフェニルエーテル、ポリオキシエチレンアルキルエステル、ポリオキシエチレンソルビタンアルキレート、ポリオキシエチレンフェニルエーテルポリマー、ポリオキシエチレンアルキレンアリールフェニルエーテル、ポリオキシエチレンアルキレングリコール、ポリオキシエチレン・ポリオキシプロピレンブロックポリマーなど。
【００１３】
陰イオン性界面活性剤
リグニンスルホン酸塩、アルキルアリールスルホン酸塩、ジアルキルスルホサクシネート、ポリオキシエチレンアルキルアリールエーテルサルフェート、アルキルナフタレンスルホン酸塩、ポリオキシエチレンスチリルフェニルエーテルサルフェートなど。
【００１４】
陽イオン性界面活性剤
アルキルアミン塩など。
両性界面活性剤
第４級アンモニウム塩アルキルベタイン、アミンオキサイドなど。
【００１５】
なお、本発明で使用できる界面活性剤は、これらに限定されるものではなく、これらの１種又は２種以上を併用しても何ら問題ない。また、これらの界面活性剤の添加量は特に限定されないが、水和性を３分以内とするために、製剤中に０．１重量％以上添加することが望ましく、また３０重量％を超えて添加しても水和性の改善効果が認められないので、製剤中に０．１〜３０重量％が望ましい。
【００１６】
本発明に使用できる増量剤は、無機担体又は有機担体のいずれでもよく例えば、次のようなものが挙げられる。
無機担体
クレー、ベントナイト、タルク、炭酸カルシウム、炭酸ナトリウム、ジークライト、セリサイト、酸性白土、珪石、ケイソウ土、軽石、ゼオライト、バーミキュライト、塩化カリウム、尿素、ホワイトカーボン、硫酸アンモニウム、硫酸ナトリウム、パーライト、硫酸マグネシウムなど。
有機担体
グルコース、マルトース、シュークロース、ラクトースなど。
これらの無機担体又は有機担体は１種又は２種以上を併用することができるが、本発明では、見掛け比重が０．４以上になるようにすることが重要である。また、無機担体と有機担体を併用してもよい。
【００１７】
また、補助剤として、粘結剤、防腐防かび剤、溶剤、農薬活性成分の安定化剤として酸化防止剤、紫外線防止剤、結晶析出防止剤などを各々必要に応じて添加してもよいが、ここに例示した補助剤に限定されるものではない。
本発明に使用できる粘結剤としては、特に限定されるものではないが、例えば、次のようなものを挙げることができる。
澱粉、デキストリン、セルロース、メチルセルロース、エチルセルロース、カルボキシメチルセルロース、ヒドロキシエチルセルロース、ヒドロキシプロピルセルロース、カルボキシメチルデンプン、プルラン、アルギン酸ナトリウム、アルギン酸アンモニウム、アルギン酸プロピレングリコールエステル、グァーガム、ローカストビーンガム、アラビアゴム、キサンタンガム、ゼラチン、カゼイン、ポリビニルアルコール、ポリエチレンオキサイド、ポリエチレングルコール、エチレン・プロピレンブロックポリマー、ポリアクリル酸ナトリウム、ポリビニルピロリドンなどを挙げることができる。
【００１８】
これらの１種又は２種以上を併用することができる。また、これらの粘結剤の添加量は特に限定されないが、効果、経済性より製剤中に０．１〜４０重量％が望ましい。
【００１９】
また、本発明では、低融点の有効成分を液状化する目的あるいは効果増強などを目的として溶剤を使用することができる。
本発明に使用できる溶剤としては、アジピン酸イソブチル、アジピン酸ジオレイル、アジピン酸ジイソデシル、フタル酸ジエチルヘキシル、フタル酸ジデシル、トリメリット酸２−エチルヘキシル、トリメット酸トリイソデシルなどの多塩基酸アルコールエステル、２−エチルヘキサン酸セチル、ヤシ脂肪酸セチル、ラウリン酸メチル、ミリスチン酸メチル、オレイン酸メチル、オレイン酸オクチルなどの脂肪酸アルコールエステル、ソルビタンモノラウレート、ソルビタンモノオレエートなどの多価アルコール脂肪酸エステル、オクチルアルコール、ラウリルアルコールなどの高級アルコール、１，２−ジメチル−４−エチルベンゼン、メチルナフタレン、１−フェニル−１−キシリルエタン、１−キシリル−１，３−ジフェニルブタンなどの芳香族炭化水素、などがあり、これらの１種又は２種以上を併用することができる。これらの使用量は特に限定されないが１〜２０重量％が好ましい。
【００２０】
また、本発明の粒状水和剤は、単に粒状水和剤としただけでは所期の目的を達成することはできない。すなわちまず、水和性（「農薬科学用語辞典」社団法人日本植物防疫協会  平成６年６月１５日発行第１４０頁）を３分以内となるように、調整することが必要である。そして、製剤の見掛け比重を０．４以上とする必要がある。
なお、製剤の見掛け比重は０．４以上であれば特に問題はないが、有効成分、界面活性剤、固体担体、その他の補助剤の個々の見掛け比重の点から、製剤の見掛け比重は一般的に０．４〜２．０となる。この粒状水和剤の見掛け比重が０．４よりも小さくなると水での希釈時に薬剤の容量が大きくなり水への水和性、そして分散に時間がかかり、作業性に劣る。
また、水和性が３分を超えても水への分散に時間がかかり、作業性が悪くなる。
これらの水和性、分散性は界面活性剤の種類、添加量を適宜選択することにより調整でき、また固体担体、その他補助剤の種類、添加量を適宜選択することが見掛け比重を０．４以上に調整することができる。
なお、水和性、及び見掛け比重は後述する試験例について説明した方法により測定した。
【００２１】
種子消毒用粒状水和剤の調製法
本発明に係る種子消毒用粒状水和剤の調製法は特に限定されないが次の方法によって調製することができる。
例えば、前記したごとく農薬活性成分、界面活性剤、増量剤を混合し、さらに必要があれば粘結剤、防腐防かび剤、農薬活性成分安定化剤などと混合して、加水混練後、押し出し造粒機にて造粒し、乾燥、整粒すればよい。また、加水しながら転動造粒機にて造粒し乾燥、整粒してもよい。さらに水を添加する前の粉体混合物を水に分散させ噴霧造粒機により造粒してもよく、また、粉体混合物を流動させながら粘結剤溶液あるいは農薬活性成分などをスプレーして造粒する流動層造粒機により、造粒してもよい。
また、本発明の種子消毒用粒状水和剤を得るには、界面活性剤の使用により、分散性機能を付与して、水和性を３分以内、好ましくは２分以内になるように調整し、比重の異なる増量剤などを使用して粒状水和剤の見掛け比重を０．４以上になるように調整すればよい。
【００２２】
【実施例】
次に、実施例で本発明をさらに具体的に説明するが、本発明はこれらに限定されるものではない。以下に部とあるのはすべて重量部を意味する。
【００２３】
実施例１
ペフラゾエート２０部、ポリオキシエチレンスチリルフェニルエーテル５部、リグニンスルホン酸ナトリウム５部、乳糖１５部、ホワイトカーボン１０部、クレー４５部をハンマーミル（不二パウダル株式会社製）で混合する。その後、この混合物１００部に対し水１０部を添加し、双腕ニーダー（不二パウダル株式会社製）で混練混合する。次いで０．８ｍｍ径のスクリーンを付けた押し出し造粒機（日本薬業株式会社製）で造粒し、さらに流動層乾燥機（不二パウダル株式会社製）にて乾燥篩別し、粒径０．３５５ｍｍ〜１．１８ｍｍの粒状水和剤を得た。得られた粒状水和剤の水和性は５８秒、見掛け比重は０．５５、粉立ち性は１秒であった。
【００２４】
実施例２
ペフラゾエート２０部、ポリオキシエチレンアリールフェニルエーテルホスフェート５部、ドデシルベンゼンゼンスルホン酸ナトリウム１０部、ホワイトカーボン１０部、珪石５４部、ベントナイト１部をハンマーミルで混合する。その後、この混合物１００部に対し水１２部を添加し、双腕ニーダーで混練混合する。
次いで０．８ｍｍ径のスクリーンを付けた押し出し造粒機で造粒し、さらに流動層乾燥機で乾燥、篩別し粒径０．３５５〜１．１８ｍｍの粒状水和剤を得た。得られた粒状水和剤の水和は１４秒、見掛け比重は０．６６、粉立ち性は１秒であった。
【００２５】
実施例３
実施例１のリグニンスルホン酸ナトリウム５部を、ドデシルベンゼンスルホン酸ナトリウム１０部に、乳糖１５部をショ糖１０部にかえた以外は、実施例１と同様で、粒径０．３５５〜１．１８ｍｍの粒状水和剤を得た。得られた粒状水和剤の水和性は３６秒、見掛け比重は０．５４、粉立ち性は２秒であった。
【００２６】
実施例４
ペフラゾエート２０部、チウラム２０部、ポリオキシエチレンスチリルフェニルエーテル５部、β−ナフタレンスルホン酸ホルマリン縮合物のナトリウム塩２部、ホワイトカーボン１５部、クレー３８部をハンマーミルで混合する。その後この混合物１００部に対して水１３部を添加し、双腕ニーダーで混練混合する。次いで０．８ｍｍのスクリーンを付けた押し出し造粒機にて造粒し、さらに流動層乾燥機で乾燥、篩別し粒径０．３５５〜１．１８ｍｍの粒状水和剤を得た。得られた粒状水和剤の水和性は１０７秒、見掛け比重は０．４２、粉立ち性は３秒であった。
【００２７】
実施例５
実施例４のホワイトカーボン１５部とクレー３８部を、ホワイトカーボン１０部、乳糖２部、珪石４１部におきかえた以外は、実施例４と同様で粒径０．３５５〜１．１８ｍｍの粒状水和剤を得た。得られた粒状水和剤の水和性は３８秒、見掛け比重は０．６９粉立ち性は１秒であった。
【００２８】
比較例１
ペフラゾエート２０部、ポリオキシエチレンスチリルフェニルエーテル５部、リグニンスルホン酸ナトリウム５部、乳糖１５部、ホワイトカーボン１０部、クレー４５部をハンマーミルで混合し水和剤を得た。
得られた水和剤の水和性は１８１秒、見掛け比重は０．２６、粉立ち性は２１秒であった。
【００２９】
比較例２
ペフラゾエート２０部、ポリオキシエチレンアリールフェニルエーテル５部、ドデシルベンゼンスルホン酸ナトリウム１０部、珪石５４部、ホワイトカーボン１０部、ベントナイト１部をハンマーミルで混合し、水和剤を得た。得られた水和剤の水和性は２０６秒、見掛け比重は０．２５、粉立ち性は２０秒であった。
【００３０】
比較例３
ペフラゾエート２０部、チウラム２０部、ポリオキシエチレンスチリルフェニルエーテル５部、β−ナフタレンスルホン酸ホルマリン縮合物ナトリウム塩２部、ホワイトカーボン１５部、クレー部３８部をハンマーミルで混合し水和剤を得た。得られた水和剤の水和性は２１８秒、見掛け比重は０．２０、粉立ち性は２５秒であった。
【００３１】
比較例４
比較例３のホワイトカーボン１５部とクレー３８部を、ホワイトカーボン１０部、乳糖２部、珪石４１部におきかえた以外は、比較例３と同様にして水和剤を得た。得られた水和剤の水和性は１３９秒、見掛け比重０．２７、粉立ち性１７秒であった。
【００３２】
比較例５
実施例４のホワイトカーボン１５部とクレー３８部を、ホワイトカーボン１８部、珪石１５部、クレー２０部におきかえた以外は、実施例４と同様にして、粒径０．３５５〜１．１８ｍｍの粒状水和剤を得た。得られた粒状水和剤の水和性は１９２秒、見掛け比重は０３５、粉立ち性は７秒であった。
【００３３】
ここで、上記水和性、見掛け比重、粉立ち性の試験方法について、以下の試験例１〜３の記載によって説明する。また、これらに加えて、試験例４及び試験例５によって、さらに本発明の有用性を明らかにする。
【００３４】
試験例１（水和性）
この試験では、５００ｍｌビーカーに２０℃の水（以下の＊１に説明）２００ｍｌを入れ、これに試料５ｇを水面上約１０ｃｍの位置よりうすくひろがるように静かに落とす。試料を落とし終わってから水面に没するまでの時間（秒）を測定する。
この試験結果は、前述したが、表１にもまとめて示す。
なお、本方法は公定検査法と同じ方法である。
【００３５】
＊１  水：硬度３度のものを使用する。
硬度３度水の調整法
炭酸カルシウム０．３０７７ｇ、酸化マグネシウム０．０９２ｇを少量の希塩酸に溶かした後、砂浴上で蒸発乾固して塩酸を除去し、水で１０リットルに希釈する。
【００３６】
試験例２（見掛け比重）
この試験では、試料２０ｇを底面が平で座りのよい１００ｍｌ容量ガラス製メスシリンダー（重量が１２７±５ｇ、５〜１００ｍｌまで１ｍｌごとに目盛が刻まれていて０〜１００ｍｌ標線までの距離が１５．５〜１６．５ｍｍであること）に流し込み、親指と人さし指でシリンダー上部をはさみ、１秒間で指定の高さ（下から２５±２ｍｍ）まで持ち上げ、次の１秒の初めに親指と人さし指をすばやくはなし、シリンダーを厚さ２ｃｍの木板（杉板）の上に落下させる。このようにしてシリンダーを２秒に１回の割合で５０回落下させる。シリンダーを持ち上げ指を放す直前に角度にして約１０°シリンダーを回す。こうすることにより、試料層が平に収まり体積が読み取り易くなる。５０回落下させた後、直ちにシリンダーを目の高さに持ち上げ体積をｍｌ単位で読み取る（Ｖｍｌ）。
見掛け比重（Ｄ）は、次式を用いて計算する。その結果は、前述したとおりであるが、表１にもまとめて示す。
Ｄ＝２０／Ｖ
【００３７】
試験例３（粉立ち性）
この試験では、試料２００ｇを１リットル容量の大きさのマヨネーズ瓶中に入れ、ふたをして激しく上下に２０回振とうし静置する。その後、浮遊性粒子がほとんど沈降するのを内眼で確かめ、それまでの時間を測定する。
この試験結果は、前述したとおりであるが、表１にもまとめて示す。
試験結果から了解されるように、実施例１〜５の粉立ち性は極端に小さくなっている。
【００３８】
試験例４（崩壊性試験）
この試験では、１００ｍｌ容量の有栓シリンダーに２０℃の３度の硬水９５ｍｌを入れ、粒状水和剤５ｇを投入し、１分後にシリンダーを転倒し、すべての粒が崩壊するまでの転倒回数を計測した。
その結果は、表１のとおりである。
結果から了解されるように、実施例１〜５の崩壊性は、比較例５に比べて良好であり、すばやく所定の濃度に調整できる。
【００３９】
【表１】
0004787398.tif 000003
【００４０】
試験例５（イネ馬鹿苗病防除効果試験）
イネ馬鹿苗病自然感染罹病籾（品種「日本晴」）の乾燥種籾１５０ｇに対し実施例に準じて調製した粒状水和剤を水で所定の濃度になるように希釈した薬液あるいは市販薬剤を水で希釈した薬液のそれぞれ４．５ｍｌ（種籾重量の３％相当量）を種籾に均一に付着するようにエアースプレーガン（Ｆ８８型  明治機械製作所製）を用いて吹き付け処理した。
【００４１】
処理した種籾を１５℃で６日間浸種し、さらに３０℃で１晩催芽した。この種籾１５０ｇ中の１８ｇ量を、通常の育苗箱（縦×横×高さ＝６０ｃｍ×３０ｃｍ×３ｃｍ）の１／１０の大きさの育苗箱（縦×横×高さ＝１２ｃｍ×１５ｃｍ×３ｃｍ）に播種し直ちに覆土した。覆土後は３２℃で２日間出芽処理し、出芽後２日間は温室内の寒冷紗で遮光し、その後は寒冷紗を除去し通常の栽培管理をした。
【００４２】
なお、育苗培土には市販のクミアイ粒状培土Ｄ（呉羽化学工業株式会社製）を使用した。
播種３０日後に育苗箱の全苗について徒長、枯死などのイネ馬鹿苗病状を示した発病苗数と無病徴の苗数について調査し下記式によって発病苗率（％）を求め防除価（％）を求めた。また薬害については出芽程度、生育程度などについて観察し、下記の薬害程度で示した。
発病苗率（％）＝（発病苗数）／（総調査苗数）×１００
防除価（％）＝｛１−（処理区の発病苗率）／（無処理区の発病苗率）｝
×１００
【００４３】
薬害程度
−：無    ±：微    ＋：小    ＋＋：中    ＋＋＋：大
この結果を表２に示す。
この結果から了解されるように、本発明によれば、優れた種子消毒活性を期待することができる。
【００４４】
【表２】
0004787398.tif 000004
【００４５】
【発明の効果】
本発明を実施すると、次のような効果がもたらされる。すなわち、第１に本発明は水和性と見掛け比重を特定の範囲に制限することにより、粉立ちを極端に小さくすることができる。したがって、種子消毒用の薬液を調製する作業がやり易くかつ人にかかることもなく安全に行うことができる利点がある。
第２に水和性を３分以内とすることにより、種子消毒用の高濃度希釈液を、たとえ大量に調整する必要があっても、例えば３〜２０倍の希釈倍率のいずれの濃度に調整する場合でもすばやく調整することができる。
第３に、使用できる種子消毒用の農薬活性成分は特定の種類のものに限定されることはなく、かつ実際に使用しても、本来有する種子消毒活性をいかんなく発揮するものである。
これらのことから、本発明に係る種子消毒用粒状水和剤は、新しい種子消毒用の製剤として有用である。